【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
印刷に係るジョブに基づいて、印刷媒体に画像を印刷する画像形成装置であって、
第１のジョブに割り込ませて処理すべき第２のジョブが入力された場合に、前記第１のジョブに基づく第１画像が配置されない印刷媒体上の空き領域を判別する判別手段と、
前記判別手段で判別した前記印刷媒体の空き領域内に、前記第２のジョブに基づく第２画像を配置できるか否かを判定する判定手段と、
前記判定手段の判定の結果、前記印刷媒体上の前記空き領域に前記第２画像を配置可能である場合、前記印刷媒体上に前記第１画像、および前記第２画像が形成されるように印刷を制御する印刷制御手段と
を備えることを特徴とする画像形成装置。
【請求項２】
前記第１のジョブの処理中に入力された前記第２のジョブに付加されている印刷優先度が、前記第１のジョブに付加されている印刷優先度よりも高い場合に、前記判別手段は、前記空き領域の判別を実行する
ことを特徴とする請求項１に記載の画像形成装置。
【請求項３】
指定された断裁位置で印刷媒体を断裁する断裁手段を更に備え、
前記印刷制御手段は、前記判定手段の判定の結果、前記印刷媒体上の前記空き領域に前記第２画像を配置不可能である場合、前記第１のジョブ及び前記第２のジョブについての印刷をそれぞれ異なる印刷媒体へ印刷するように制御するとともに、前記断裁手段は、各ジョブによって印刷した印刷媒体を各ジョブで指定されている断裁位置で断裁する
ことを特徴とする請求項１または２に記載の画像形成装置。
【請求項４】
前記画像形成装置に収納されている複数種類のサイズの印刷媒体情報を記憶する記憶手段と、
前記判定手段の判定の結果、前記印刷媒体上の前記空き領域に前記第２画像を配置不可能である場合、前記記憶手段によって記憶されている印刷媒体情報に基づいて、前記第１画像と前記第２画像を配置可能な印刷媒体を前記画像形成装置に収納されている印刷媒体から選択する選択手段とを更に備え、
前記印刷制御手段は、前記選択手段で選択された印刷媒体上に前記第１画像、および前記第２画像が形成されるように印刷を制御する
ことを特徴とする請求項１乃至３のいずれか１項に記載の画像形成装置。
【請求項５】
印刷処理が完了した印刷媒体を排出するための複数の排出手段を更に備え、
前記印刷制御手段は、前記第１画像と前記第２画像を印刷した印刷媒体を、前記複数の排出手段の内、指定された排出手段に排出するように制御する
ことを特徴とする請求項１乃至４のいずれか１項に記載の画像形成装置。
【請求項６】
前記複数の排出手段は、筐体の外部に露出して搭載される第１の排出手段と、筐体に内蔵される第２の排出手段とを少なくとも含み、
前記印刷制御手段は、前記第１画像と前記第２画像を印刷した印刷媒体を、前記複数の排出手段の内、前記第１の排出手段に排出する
ことを特徴とする請求項５に記載の画像形成装置。
【請求項７】
前記印刷制御手段は、前記第１画像と前記第２画像を印刷した印刷媒体を、前記複数の排出手段の内、第１の排出手段に排出し、前記第１画像のみを印刷した印刷媒体を、前記第１の排出手段とは異なる第２の排出手段に排出するように制御する
ことを特徴とする請求項５に記載の画像形成装置。
【請求項８】
前記第１のジョブと前記第２のジョブにおいて、印刷設定情報中の指定された印刷設定項目の設定内容が異なる場合、前記印刷制御手段は、前記第１画像と前記第２画像が異なる印刷媒体へ印刷されるように印刷を制御する
ことを特徴とする請求項１乃至７のいずれか１項に記載の画像形成装置。
【請求項９】
前記印刷設定項目は、印刷媒体の種類、サイズ、印刷モードの少なくともいずれかである
ことを特徴とする請求項８に記載の画像形成装置。
【請求項１０】
印刷に係るジョブに基づいて、印刷媒体に画像を印刷する画像形成装置であって、
前記画像形成装置に収納されている複数種類のサイズの印刷媒体情報を記憶する記憶手段と
第１のジョブに割り込ませて処理すべき第２のジョブが入力された場合に、前記記憶手段に記憶されている印刷媒体情報に基づいて、前記第１のジョブに基づく第１の画像と前記第２のジョブに基づく第２の画像を配置可能な印刷媒体を選択する選択手段と
を備えることを特徴とする画像形成装置。
【請求項１１】
印刷に係るジョブに基づいて、印刷媒体に画像を印刷する画像形成装置の制御方法であって、
判別手段が、第１のジョブに割り込ませて処理すべき第２のジョブが入力された場合に、前記第１のジョブに基づく第１画像が配置されない印刷媒体上の空き領域を判別する判別工程と、
判定手段が、前記判別工程で判別した前記印刷媒体の空き領域内に、前記第２のジョブに基づく第２画像を配置できるか否かを判定する判定工程と、
印刷制御手段が、前記判定工程の判定の結果、前記印刷媒体上の前記空き領域に前記第２画像を配置可能である場合、前記印刷媒体上に前記第１画像、および前記第２画像が形成されるように印刷を制御する印刷制御工程と
を備えることを特徴とする画像形成装置の制御方法。
【請求項１２】
前記第１のジョブの処理中に入力された前記第２のジョブに付加されている印刷優先度が、前記第１のジョブに付加されている印刷優先度よりも高い場合に、前記判別工程は、前記空き領域の判別を実行する
ことを特徴とする請求項１１に記載の画像形成装置の制御方法。
【請求項１３】
断裁手段が、指定された断裁位置で印刷媒体を断裁部により断裁する断裁工程を更に備え、
前記印刷制御工程は、前記判定工程の判定の結果、前記印刷媒体上の前記空き領域に前記第２画像を配置不可能である場合、前記第１のジョブ及び前記第２のジョブについての印刷をそれぞれ異なる印刷媒体へ印刷するように制御するとともに、前記断裁工程は、各ジョブによって印刷した印刷媒体を各ジョブで指定されている断裁位置で前記断裁部により断裁する
ことを特徴とする請求項１１または１２に記載の画像形成装置の制御方法。
【請求項１４】
記憶手段が、前記画像形成装置に収納されている複数種類のサイズの印刷媒体情報を記憶媒体に記憶する記憶工程と、
選択手段が、前記判定工程の判定の結果、前記印刷媒体上の前記空き領域に前記第２画像を配置不可能である場合、前記記憶工程によって前記記憶媒体に記憶されている印刷媒体情報に基づいて、前記第１画像と前記第２画像を配置可能な印刷媒体を前記画像形成装置に収納されている印刷媒体から選択する選択工程とを更に備え、
前記印刷制御工程は、前記選択工程で選択された印刷媒体上に前記第１画像、および前記第２画像が形成されるように印刷を制御する
ことを特徴とする請求項１１乃至１３のいずれか１項に記載の画像形成装置の制御方法。
【請求項１５】
前記印刷制御工程は、前記第１画像と前記第２画像を印刷した印刷媒体を、複数の排出部の内、指定された排出部に排出するように制御する
ことを特徴とする請求項１１乃至１４のいずれか１項に記載の画像形成装置の制御方法。
【請求項１６】
前記複数の排出部は、筐体の外部に露出して搭載される第１の排出部と、筐体に内蔵される第２の排出部とを少なくとも含み、
前記印刷制御工程は、前記第１画像と前記第２画像を印刷した印刷媒体を、前記複数の排出部の内、前記第１の排出部に排出する
ことを特徴とする請求項１５に記載の画像形成装置の制御方法。
【請求項１７】
前記印刷制御工程は、前記第１画像と前記第２画像を印刷した印刷媒体を、前記複数の排出部の内、第１の排出部に排出し、前記第１画像のみを印刷した印刷媒体を、前記第１の排出部とは異なる第２の排出部に排出するように制御する
ことを特徴とする請求項１５に記載の画像形成装置の制御方法。
【請求項１８】
前記第１のジョブと前記第２のジョブにおいて、印刷設定情報中の指定された印刷設定項目の設定内容が異なる場合、前記印刷制御工程は、前記第１画像と前記第２画像が異なる印刷媒体へ印刷されるように印刷を制御する
ことを特徴とする請求項１１乃至１７のいずれか１項に記載の画像形成装置の制御方法。
【請求項１９】
前記印刷設定項目は、印刷媒体の種類、サイズ、印刷モードの少なくともいずれかである
ことを特徴とする請求項１８に記載の画像形成装置の制御方法。
【請求項２０】
印刷に係るジョブに基づいて、印刷媒体に画像を印刷する画像形成装置の制御方法であって、
記憶手段が、前記画像形成装置に収納されている複数種類のサイズの印刷媒体情報を記憶媒体に記憶する記憶工程と
選択手段が、第１のジョブに割り込ませて処理すべき第２のジョブが入力された場合に、前記記憶媒体に記憶されている印刷媒体情報に基づいて、前記第１のジョブに基づく第１の画像と前記第２のジョブに基づく第２の画像を配置可能な印刷媒体を選択する選択工程と
を備えることを特徴とする画像形成装置の制御方法。
【請求項２１】
印刷に係るジョブに基づいて、印刷媒体に画像を印刷する画像形成装置の制御をコンピュータに機能させるためのプログラムであって、
前記コンピュータを、
第１のジョブに割り込ませて処理すべき第２のジョブが入力された場合に、前記第１のジョブに基づく第１画像が配置されない印刷媒体上の空き領域を判別する判別手段と、
前記判別手段で判別した前記印刷媒体の空き領域内に、前記第２のジョブに基づく第２画像を配置できるか否かを判定する判定手段と、
前記判定手段の判定の結果、前記印刷媒体上の前記空き領域に前記第２画像を配置可能である場合、前記印刷媒体上に前記第１画像、および前記第２画像が形成されるように印刷を制御する印刷制御手段と
して機能させることを特徴とするプログラム。
【請求項２２】
印刷に係るジョブに基づいて、印刷媒体に画像を印刷する画像形成装置の制御をコンピュータに機能させるためのプログラムであって、
前記コンピュータを、
前記画像形成装置に収納されている複数種類のサイズの印刷媒体情報を記憶媒体に記憶する記憶手段と
第１のジョブに割り込ませて処理すべき第２のジョブが入力された場合に、前記記憶媒体に記憶されている印刷媒体情報に基づいて、前記第１のジョブに基づく第１の画像と前記第２のジョブに基づく第２の画像を配置可能な印刷媒体を選択する選択手段と
して機能させることを特徴とするプログラム。
【手続補正２】
【補正対象書類名】明細書
【補正対象項目名】００１３
【補正方法】変更
【補正の内容】
【００１３】
上記の目的を達成するための本発明による画像形成装置は以下の構成を備える。即ち、
印刷に係るジョブに基づいて、印刷媒体に画像を印刷する画像形成装置であって、
第１のジョブに割り込ませて処理すべき第２のジョブが入力された場合に、前記第１のジョブに基づく第１画像が配置されない印刷媒体上の空き領域を判別する判別手段と、
前記判別手段で判別した前記印刷媒体の空き領域内に、前記第２のジョブに基づく第２画像を配置できるか否かを判定する判定手段と、
前記判定手段の判定の結果、前記印刷媒体上の前記空き領域に前記第２画像を配置可能である場合、前記印刷媒体上に前記第１画像、および前記第２画像が形成されるように印刷を制御する印刷制御手段と
を備える。